(57)【要約】本発明は娯楽用又は特殊な一対のフットウェアを持ち運ぶためのシステムを表し、ハンドルと、左靴を保持するための左本体と、右靴を保持するための右本体と、左本体が３６０度回転するのを可能にする、左本体とハンドルの左側面との間にある左旋回点と、右本体が３６０度回転するのを可能にする、右本体とハンドルの右側面との間にある右旋回点と、左本体を右本体に固定するための、２つ以上の対応部分を含むコネクタと、を備える。【選択図】図２
2019500137.tif 000002
【特許請求の範囲】
【請求項１】
フットウェアキャリアであって、
ハンドルと、
左靴を保持するための左本体と、
右靴を保持するための右本体と、
前記左本体が３６０度回転するのを可能にするための、前記左本体と前記ハンドルの左側面との間にある左旋回点と、
前記右本体が３６０度回転するのを可能にするための、前記右本体と前記ハンドルの右側面との間にある右旋回点と、
前記左本体を前記右本体に固定するための、２つ以上の対応部分を含むコネクタと、を備えるフットウェアキャリア。
【請求項２】
前記ハンドルが、前記フットウェアキャリアをバッグに固定するための、前記ハンドルに取り付けられた固定コネクタをさらに備える、請求項１に記載のフットウェアキャリア。
【請求項３】
前記ハンドルが調整可能である、請求項１に記載のフットウェアキャリア。
【請求項４】
前記コネクタの前記対応部分が、前記フットウェアキャリアの底部に位置する、請求項１に記載のフットウェアキャリア。
【請求項５】
前記コネクタの前記対応部分が前記フットウェアキャリアの前記左本体及び前記右本体の内側に位置する、請求項１に記載のフットウェアキャリア。
【請求項６】
前記コネクタの前記対応部分が、前記フットウェアキャリアの前記底部と、前記フットウェアキャリアの前記左本体及び前記右本体の前記内側とに位置する、請求項１に記載のフットウェアキャリア。
【請求項７】
フットウェアを持ち運ぶためのシステムであって、
受容可能な、少なくとも１つのストラップを含むバッグと、
前記バッグの前記少なくとも１つのストラップに取り付けられたフットウェアキャリアであって、
ハンドルと、
左靴を保持するための左本体と、
右靴を保持するための右本体と、
前記左本体が３６０度回転するのを可能にするための、前記左本体と前記ハンドルの左側面との間にある左旋回点と、
前記右本体が３６０度回転するのを可能にするための、前記右本体と前記ハンドルの右側面との間にある右旋回点と、
前記左本体を前記右本体に固定するための、２つ以上の対応部分を含むコネクタと、を含むフットウェアキャリアと、を備えるシステム。
【請求項８】
フットウェアを持ち運ぶための方法であって、
請求項１、２、３、４、５、又は６に記載のフットウェアキャリアを選択するステップと、
左靴を前記フットウェアキャリアの前記左本体に挿入するステップと、
右靴を前記フットウェアキャリアの前記右本体に挿入するステップと、
前記左本体と前記右本体がストラップの両側に吊るされるよう、前記フットウェアキャリアの前記ハンドルをバッグの前記ストラップの上に配置するステップと、
前記旋回点を使用して、前記コネクタの前記対応部分が係合するよう整列するように、前記左本体と前記右本体を十分に回転させるステップと、
前記コネクタの前記対応部分を係合させるステップと、を備える方法。
【発明の詳細な説明】
【技術分野】
【０００１】
本発明は、フットウェア用のキャリア（運搬具）に関し、特に、その形状を保持することができる、流線型で柔軟性のある装置を使用した娯楽用及び特殊なフットウェア（履物）を持ち運ぶためのシステムに関する。
【背景技術】
【０００２】
多くのスポーツや娯楽活動では、特殊なフットウェアを使用することが求められる。ほんの一例として、特殊なフットウェアは、クロスフィット（日常生活で繰り返し行う動作をベースにしたトレーニング）、ハイキング、サイクリング、ロッククライミング、マウンテンバイキング、サッカー、バスケットボール、野球、ボクシング、レスリング、テニス、ランニング、トレーニングといった活動に利用可能である。
【０００３】
大多数の事例では、特殊なフットウェアを一日中履いているのは可能ではないため、移動中に一対の特殊なフットウェアを持って移動することを望む者は、それらを運ぶための便利な方法を探す傾向がある。通常、一対の予備のフットウェアは別のバッグか、既存のバックパック、又は荷物の他のアイテムで運ばれる。あるいは、紐を既存のバックパックに結ぶか、又はその者の肩にかけられる。こうした現在の方法はいくつかの不利な点（欠点）があり、例えば、自身のバッグ、バックパック、又は荷物でフットウェアを運ぶと、ラップトップ（ノート型パソコン）や本、又はその他のアイテムに必要となるかもしれないスペースが多くとられる。さらに、汚れた、又は濡れたフットウェアを他のアイテム（製品）と一緒にバッグに入れることが望ましくない場合がある。濡れた、又は汚れたフットウェアを閉じられたバッグに入れることによって湿気や匂いを閉じ込めるよりも、脱いだ後はそれらを空気に曝すことが望ましい場合がある。別の不利な点は、フットウェアを保持するために余分なバッグを運ぶこと、又は、フットウェアを手で、又は自身にかけて運ぶのが煩雑となりうるということである。紐を既存のバッグに結んでみると、歩行中やサイクリング中にフットウェアが揺れてしまい、そのことは運ぶ人にとって不快であるだけでなく、フットウェアに損傷をもたらす。これらの問題のいくつかを解決しようと試みる、既存のフットウェアキャリアがあり、例えば、米国特許出願第１２／５８８，８７２号は、既存のバッグ又は荷物のその他のアイテムに取り付けることによってフットウェアの持ち運びを可能にするシステムの必要性を認識しているが、しかしながら開示されたデバイス（装置）は、フットウェアを持ち運ぶための閉じられたシステムであり、それによって持ち運び中に湿気や匂いが閉じ込められる。米国特許出願第１０／７９２２２７号は、持ち運び中、靴を風通しすることを可能にするフットウェアキャリアの必要性を認識しているが、しかしながら開示された装置では、ユーザは、そのデバイスを使用するためにそれぞれの靴の踵に穴を開けなければならない。さらにそのデバイスは、持ち運び中にフットウェアが揺れてしまうため、それによってフットウェアを損傷に曝す。最小限の揺れで容易に持ち運び可能であり、持ち運び中にフットウェアを風通しすることができる、娯楽用及び特殊なフットウェアを運ぶためのシステムが必要である。
【発明の概要】
【０００４】
本明細書で用いられる表現及び用語は、説明のためのものであり、限定と見なすべきではないことを理解すべきである。
【０００５】
本発明は、スポーツや、屋内及び屋外での娯楽活動中に使用する娯楽用又は特殊なフットウェアのような、一対の予備のフットウェアを持ち運ぶためのシステムに関し、柔軟性のあるフットウェアキャリアとバッグとを備える。本発明の目的のため、バッグは、ジムバッグ、バックパック、メッセンジャーバッグ、ダッフルバッグ、スーツケース、又は同様のその他の運搬アイテム（ｃａｒｒｙｉｎｇ  ｉｔｅｍ）を含み得る。フットウェアキャリアは、キャリアを保持するか、又はキャリアをバッグに接続するかのいずれかのためのハンドルと、左靴を保持するための左本体と、右靴を保持するための右本体と、左本体が３６０度回転するのを可能にする、左本体とハンドルの左側面との間にある左旋回点と、右本体が３６０度回転するのを可能にする、右本体とハンドルの右側面との間にある右旋回点と、左本体を右本体に固定し、それによってフットウェアの揺れを軽減するための、２つ以上の対応部分を備えるコネクタと、を備える。本発明のこれらの特徴及びその他の特徴は、明細書及び図面をさらに検討することにより容易に明らかになるだろう。
【図面の簡単な説明】
【０００６】
本発明の実施形態は添付図面に関して、単なる例示として、かつ非限定的に説明されることになる。
【図１】本発明における娯楽用及び特殊なフットウェアを持ち運ぶためのシステムの斜視図である。
【図２】一対の靴が挿入され、コネクタの対応部分に係合するよう十分に回転されたフットウェアキャリアの正面斜視図であり、本発明の一実施形態では、コネクタの対応部分が各靴の底部にある。
【図３】本発明の一実施形態における、一対の靴が挿入されたフットウェアキャリアの正面斜視図である。
【図４】本発明の一実施形態における、一対の靴が挿入されたフットウェアキャリアの後面斜視図である。
【図５】本発明の一実施形態におけるフットウェアキャリアの正面斜視図である。
【図６】本発明の一実施形態におけるフットウェアキャリアの後面斜視図である。
【図７】図７Ａは、本発明のある実施形態における、左靴が挿入されたフットウェアキャリアの左本体の側面図である。図７Ｂは、本発明のある実施形態における、左靴が挿入されたフットウェアキャリアの左本体の後面斜視図である。
【図８】本発明のある実施形態における、底部及び側面コネクタの両方を有するフットウェアキャリアの左本体の側面図である。
【図９】本発明のある実施形態における、フットウェアキャリアのハンドルの正面斜視図である。
【図１０】本発明の一実施形態における、フットウェアキャリアの旋回点の正面斜視図である。
【発明を実施するための形態】
【０００７】
次に図面を参照すると、図面中の同様な要素が同様の参照記号で示されており、図１は、本発明における一対の予備のフットウェアを持ち運ぶためのシステムの斜視図を示し、流線型で、軽量で、柔軟性のあるフットウェアキャリア１０２とバッグ１００とを備える。図２は、一対の靴が挿入されたフットウェアキャリア１０２の好適な実施形態を図示し、フットウェアキャリア１０２を保持するか、又はフットウェアキャリア１０２をバッグ１００に接続するかのいずれかのためのハンドル１０４と、左靴１１２を保持するための左本体１１０と、右靴１０８を保持するための右本体１０６と、左本体１１０が３６０度回転するのを可能にする、左本体１１０とハンドル１０４の左側面との間にある左旋回点１１６と、右本体１０６が３６０度回転するのを可能にする、右本体１０６とハンドル１０４の右側面との間にある右旋回点１１４と、左本体１１０を右本体１０６に固定し、それによってフットウェアキャリア１０２の揺れを軽減するための、２つ以上の対応部分を備えるコネクタ１１８と、を備える。
【０００８】
フットウェアキャリア１０２は主に、伸縮性布地又は、ネオプレン、ゴム、ポリエステルとネオプレンの混合物、エラステイン布地の混合物、又は、当技術分野で通常周知の、折り目がついたり、形状が損なわれることを防ぎながらも、折り畳みが可能となるのに十分柔軟性のある、いくつかの同様な布地の混合物といった伸縮性布地の混合物から成る。フットウェアキャリア１０２の様々なセクションが、様々な材料や布地から成っていてもよく、その様々な材料や布地のいくつかには、レザー、メッシュ、ナイロン、綿が含まれ得る。背面セクション１２０を形成するのに使用する材料は、靴の紐によってその材料に跡がつかないよう十分厚みがあることが望ましい。１１６及び１１４において示される旋回点は、左本体１１０及び右本体１０６の３６０度の回転をもたらす。旋回点１１６及び１１４は、容易に捻られる布地又は材料から成ってもよく、又は、それらはピボットヒンジ又はボールベアリングといった小さなデバイスか、又は、３６０度の回転を可能にする、当技術分野では通常周知の別のデバイスの形態をとってもよい。コネクタ１１８は、磁石、オスメスのコネクタ及びファスナ、かぎホックファスナ、面ファスナを含み得るがこれらに限らない、２つ以上の対応部分から成る。ハンドル１０４の長さは様々であってよいが、左本体１１０と右本体１０６が接続されるとフットウェアキャリアがバッグ上で心地よく固定されるのに十分短いのが好ましい。ハンドルは、剛性があっても柔軟性があってもよく、平面状でも、円筒形でも、又は管状であってもよい。
【０００９】
図５及び図６は、フットウェアキャリア１０２の好適な実施形態の正面及び後面斜視図をそれぞれ示す。図３及び図４は、一対の靴が挿入された後のフットウェアキャリア１０２を示す。左靴１１２のつま先が左本体１１０の背面セクション１２０に挿入され、左本体の踵セクション１２２が左靴１１２の踵周りに巻きつく。右靴１０８のつま先が右本体１０６の背面セクション１２０に挿入され、右本体１０６の踵セクション１２２が右靴１０８の踵周りに巻きつく。図１に示す通り、靴がバッグ１００のストラップから吊り下がるように、ハンドル１０４がバッグ１００のストラップ上に配置される。図９及び図１０に拡大されるように、コネクタ１１８の対応部分が係合するよう整列され、その後係合するように、旋回点１１４及び１１６は左本体１１０及び右本体１０６が十分回転するのを可能にする。
【００１０】
図２及び図６に示す通り、コネクタ１１８の対応部分は、フットウェアキャリアの基礎セクション１２６上に位置し得、左本体１１０と右本体１０６の底部が互いに向き合うように十分回転されると、左本体１１０と右本体１０６が固定されるのを可能にする。あるいは、図７Ａに示す通り、コネクタ１１８の対応部分がフットウェアキャリア１０２の左本体１１０と右本体１０６の内側に位置し得、左本体１１０と右本体１０６が隣接して固定されるのを可能にする。図８は、コネクタ１１８の対応部分がフットウェアキャリア１０２の左本体１１０と右本体１０６の内側と、フットウェアキャリアの基礎セクション１２６上に位置し、左本体１１０と右本体１０６が隣接して固定されるか、又は、底部同士で固定されるのを可能にする、フットウェアキャリアのある実施形態を示す。
【００１１】
次に図７Ａ及び７Ｂを参照すると、本発明の別の実施形態を示しており、フットウェアキャリア１０２の背面セクション１２０が、靴の正面周りで巻きつき、踵セクション１２２が各側面で背面セクション１２０に接続し、靴の踵周りに巻きつく。本発明の本実施形態では、基礎セクション１２６は背面セクション１２０のミラー（同様のもの）である。図４、図５、図６における本発明の好適な実施形態では、フットウェアキャリア１０２の基礎セクション１２６は十字１２４を形成する。靴がフットウェアキャリア１０２に挿入されると、基礎セクション１２６の十字１２４は靴のアーチ上で静止する。
【００１２】
図９に示す通り、本発明の一実施形態では、フットウェアキャリア１０２のハンドル１０４は、フットウェアキャリアをバッグ１００に固定するための固定コネクタをさらに備える。固定コネクタは、アイレット１３０又は当技術分野では通常周知の別の接続方法を介して、ハンドルに取り付けられ得る。固定コネクタは、留め金（ｃｌａｓｐ）、開閉機能付きのリング、クリップ、面ファスナ、又は他の同様の手段の形態をとってもよい。本発明は上述した実施形態に限定されず、以下の請求項の範囲内でありとあらゆる実施形態を包含することが理解されよう。
【符号の説明】
【００１３】
１００  バッグ
１０２  フットウェアキャリア
１０４  ハンドル
１０６  右本体
１０８  右靴
１１０  左本体
１１２  左靴
１１４  右旋回点
１１６  左旋回点
１１８  コネクタ
【図１】
2019500137.tif 000003
【図２】
2019500137.tif 000004
【図３】
2019500137.tif 000005
【図４】
2019500137.tif 000006
【図５】
2019500137.tif 000007
【図６】
2019500137.tif 000008
【図７Ａ】
2019500137.tif 000009
【図７Ｂ】
2019500137.tif 000010
【図８】
2019500137.tif 000011
【図９】
2019500137.tif 000012
【図１０】
2019500137.tif 000013
【国際調査報告】
2019500137.tif 000014